(57)【要約】 【課題】  一重瓶、二重瓶又は外装ケースに囲まれた容器本体で、外側から液量に変わる液面が目視できない構造の液体容器内の液量と液温を容易な構造で確実に検知でき、液体容器外側表面より液量と液温を同時に確認できる。【解決手段】  一重瓶又は二重瓶で上端開口の容器本体２と、この容器本体２の上端外側に把手３とその反対側に注ぎ口１４とを備えた肩部材４と、肩部材４の上端に容器本体２の上端開口を開閉する蓋体５とを設け、外側から容器本体２内の液面が目視できない液体容器１に於いて、上記容器本体２内の液温を検知する液温検知手段と液量を検知する液量検知手段とを備えた一つの検知ユニット６を設け、この検知ユニット６を容器本体２内に装着し、検知ユニット６の液温検知手段及び液量検知手段を操作する電子回路機構を備えたメイン制御基板７とその電源８と液温、液量を表示する表示板９とを肩部材４内に配置した構成としている。【選択図】   図４
2008222271.tif 000002
【特許請求の範囲】
【請求項１】
一重瓶又は二重瓶で上端開口の容器本体（２）と、この容器本体（２）の上端外側に把手（３）とその反対側に注ぎ口（１４）とを備えた肩部材（４）と、肩部材（４）の上端に容器本体（２）の上端開口を開閉する蓋体（５）とを設け、外側から容器本体（２）内の液面が目視できない液体容器（１）に於いて、上記容器本体（２）内の液温を検知する液温検知手段と液量を検知する液量検知手段とを備えた一つの検知ユニット（６）を設け、この検知ユニット（６）を容器本体（２）内に装着し、検知ユニット（６）の液温検知手段及び液量検知手段を操作する電子回路機構を備えたメイン制御基板（７）とその電源（８）と液温、液量を表示する表示板（９）とを肩部材（４）内に配置したことを特徴とする液体容器。
【発明の詳細な説明】
【技術分野】
【０００１】
本発明は、一重瓶又は二重瓶等の液体容器内の液温と液量を確認できる液体容器に関するものである。
【背景技術】
【０００２】
従来、外側から液面を目視できない一重瓶特に真空二重瓶等の液体容器内の液量を知るには、例えば真空二重瓶の構造として真空二重瓶の上端開口と共に下端に細口を設け、この細口に連通パイプを介して液体容器前面に立設した揚水パイプを設け、この揚水パイプを液体容器正面より目視可能に設け、揚水パイプと液体容器内とが連通されて、外側より液面を目視でき、液量を確認できるようにした構造のもので液体容器の一例としてのポットが実公平３−１０９２５号公報（特許文献１，図１参照）として存在する。
【０００３】
【特許文献１】実公平３−１０９２５号公報（図１参照）
【０００４】
以下、特許文献１の図１により従来の液体容器について説明する。
この特許文献１の液体容器の一例であるポットは、外装ケース２に囲まれた上端広口、下端細口とした真空二重瓶の中びん３を設け、中びん３を囲んだ外装ケース２の上端に水切部材４を装着し、下端に底部材８を装着し、水切部材４の前側に前方へ突出し下方を空洞とした嘴部材５を設け、水切部材４の中央に中びん３の上端広口と連通する開口１６を備えた受部１７を設け、水切部材４の上端にベローズポンプ３８内蔵の上蓋ケース７を装着している。
【０００５】
又、外装ケース２の前面壁と中びん３の間に空間部を設け、この空間部に揚水パイプ７０を立設し、揚水パイプ７０の下端と中びん３の細口とを連通パイプ７１を介して連通し、揚水パイプの上端に嘴部材５の液体吐出口２８に連通する吐出パイプ７２を設け、更に、揚水パイプ７０の前面に透明部分を備えたカバー体７６を装着し、正面前方よりカバー体７６の透明部分を介して揚水パイプが目視できるようにしている。
【０００６】
そして、上蓋ケース７のベローズポンプ３８を押圧することにより、中びん３内の液体が細口より連通パイプ７１、揚水パイプ７０、吐出パイプ７２を順次介して液体吐出口２８より外部へ吐出され、しかも中びん３内と連通した揚水パイプを正面前方より目視して、中びん３内の液面と同一の揚水パイプ内の液面を確認していた。
【発明の開示】
【発明が解決しようとする課題】
【０００７】
ところが、この種の液体容器では、中びんと連通して中びん前部に立設した揚水パイプの存在にて中びん内の液面が確認できるにすぎないために、中びん特に真空二重瓶等の上端開口しかなく、中びんと連通する揚水パイプの存在がない構造のものとしては、中びん内の液面即ち液量を全く知ることができないという問題点があった。
【０００８】
しかも、液面即ち液量と同様に中びん内特に真空二重瓶内の液温が所望の温度に保持されているかを知ることも全くできないという問題点があった。
【課題を解決するための手段】
【０００９】
本発明は、一重瓶又は二重瓶で上端開口の容器本体２と、この容器本体２の上端外側に把手３とその反対側に注ぎ口１４とを備えた肩部材４と、肩部材４の上端に容器本体２の上端開口を開閉する蓋体５とを設け、外側から容器本体２内の液面が目視できない液体容器１に於いて、上記容器本体２内の液温を検知する液温検知手段と液量を検知する液量検知手段とを備えた一つの検知ユニット６を設け、この検知ユニット６を容器本体２内に装着し、検知ユニット６の液温検知手段及び液量検知手段を操作する電子回路機構を備えたメイン制御基板７とその電源８と液温、液量を表示する表示板９とを肩部材４内に配置した構成としている。
【発明の効果】
【００１０】
本発明は、従来の問題点を解決したものであって、一重瓶、二重瓶又は外装ケースに囲まれた容器本体で、外側から液量に変わる液面が目視できない構造の液体容器内の液量と液温を容易な構造で確実に検知でき、液体容器外側表面より液量と液温を同時に確認できる液体容器を提供するにある。
【発明を実施するための最良の形態】
【００１１】
液体容器１は、卓上型のポットであって、容器本体２の上端に把手３を一体的に備えた肩部材４を装着し、肩部材４の上端中央で容器本体２の上端開口を開閉する蓋体５を着脱自在に装着し、容器本体２内に容器本体内の液温と液量とを検知する一つの検知ユニット６を装着し、検知ユニット６を操作するメイン制御基板７とメイン制御基板７の駆動源である電源８とメイン制御基板７により検知ユニット６にて検知された液温と液量とを表示する表示板９とから構成されている。
【００１２】
容器本体２は、ステンレス等の金属材料又はガラス材料により内壁１０，外壁１１間を真空引きした真空二重瓶であって、底部を同質材料の底壁２０にて覆っている。
この容器本体２は、上端開口以外の外側より容器本体内の液面を目視することができない構造のものである。
【００１３】
容器本体２は、図３に示すように、上端開口を形成する周壁を上方に延ばした内壁１０と、内壁１０の周りを囲み上端に段部を形成して、その先端を内壁の上端開口を形成する周壁の上部に重ね合わせて溶着した外壁１１とを設け、外壁１１の段部外側に肩部材用のネジを刻設している。
【００１４】
肩部材４は、図３及び図４に示すように、内側に容器本体２のネジに刻設するネジ部を備えた肩部１２と、肩部１２の中央上端より下方に向けて延びた中空の受部１３と、受部１３の前方で外方に延び受部中央と連通した注ぎ口１４と、受部１３の後方で外方に延びた把手３とを一体的に設けている。
【００１５】
肩部材４の受部１３は、中央中空を形成する周壁に後述の蓋体５を螺着する雌ネジを刻設している。この肩部材４の受部１３と肩部１２と把手３との間には、後述のメイン制御基板７、電源８や表示板９を配置する空間部１５を設けている。
【００１６】
この受部１３と肩部１２との間の後方には、上記空間部１５内と連通し、後述の検知ユニット６上端を差し込む差込用の透孔を備えている。
把手３は、下端を外壁１１の下端後方に設けたアングルにビス１６にて固定されている。
【００１７】
容器本体２内の液温と液量を検知する検知ユニット６は、容器本体内の液温を検知する液温検知手段と、容器本体内の液量を検知する液量検知手段とを備えており、二本の金属製の管１７，１８を所定の間隔を隔てて立設して、下端をパッキン材１９にて保持している。
この検知ユニット６の上端が肩部材４の差込用の透孔に着脱自在に装着している。もちろんこの検知ユニット６の上端を差込用の透孔に差し込み固定してもよい。
【００１８】
検知ユニット６の液温検知手段は、図３に示すように、管１７内の下端に配置したサーミスタ等の温度感知器にて検知され、管１７内の配線に導かれ、メイン制御基板７を通じて表示板９にて表示されている。
【００１９】
検知ユニット６の液量検知手段は、所定の間隔を隔てて立設された二本の管１７，１８がそれぞれ電極を通す電極板とされ、メイン制御基板７を通じて電極板間の静電容量の変化を検知し、その変化量を液量に変換して計測し、表示板９にて表示されている。
【００２０】
メイン制御基板７は、図４に示すように、電源８や表示板９と共に空間部１５内に納められており、この電源８や表示板９と共にボックスに収納され、ボックスごと空間部１５内に納めることもできる。
【００２１】
メイン制御基板７は、電気系統をマイクロコンピュータ等の電子回路機構にて操作されており、検知ユニット６からのデータを処理して表示板９の表面に図２に示すように、液温と液量とを表示するようにしている。
電源８は、電池又は充電器であって、外部電源を導入してもよい。
【００２２】
蓋体５は、受部１３の蓋体用の雌ネジに螺着する下蓋と、下蓋の上端を閉鎖する上蓋と、下蓋と上蓋と内の空間に充填される断熱材２１とからなっており、下蓋の上方外周に受部１３の蓋体用の雌ネジと螺着する雄ネジを刻設している。
【００２３】
以上本発明の代表的と思われる実施例について説明したが、本発明は必ずしもこれら実施例構造のみに限定されるものではなく、例えば容器本体を外装ケースで囲んだ卓上型魔法瓶のように本発明にいう前記の構成要件を備え、かつ、本発明にいう目的を達成し、本発明にいう効果を有する範囲内において適宜改変して実施することができるものである。
【図面の簡単な説明】
【００２４】
【図１】本発明実施例の右側面図。
【図２】本発明実施例の平面図。
【図３】本発明実施例の右側中央縦断面図。
【図４】本発明他実施例の正面中央縦断面図。
【符号の説明】
【００２５】
１…液体容器
２…容器本体
３…把手
４…肩部材
５…蓋体
６…検知ユニット
７…メイン制御基板
８…電源
９…表示板
１２…肩部
１３…受部
１４…注ぎ口
１５…空間部
１７…管
１８…管
【図１】
2008222271.tif 000003
【図２】
2008222271.tif 000004
【図３】
2008222271.tif 000005
【図４】
2008222271.tif 000006